【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
動作モードを秘匿モード又は非秘匿モードに設定するモード設定部と、
秘匿されるコンテンツ情報である秘匿コンテンツ情報を含むコンテンツ情報を記憶する記憶部と、
所定の変換ルールに基づいて、前記記憶部に記憶された秘匿コンテンツ情報に代替する代替コンテンツ情報を生成する代替コンテンツ情報生成部と、
前記代替コンテンツ情報生成部により生成された代替コンテンツ情報を表示する表示部と、
前記代替コンテンツ情報を管理する代替コンテンツ情報管理部と、
を備え、
前記記憶部は、前記代替コンテンツ情報の生成元である元コンテンツ情報と、前記代替コンテンツ情報の制御履歴の情報と、を含む代替コンテンツ管理情報を保存するコンテンツ管理領域を有し、
前記代替コンテンツ情報管理部は、前記代替コンテンツ生成部により、前記コンテンツ管理領域に保存された制御履歴のある代替コンテンツ情報の生成元である元コンテンツ情報に基づいて、新たな代替コンテンツ情報を生成することを禁止する情報処理装置。
【請求項２】
請求項１に記載の情報処理装置であって、
前記記憶部は、複数のコンテンツ情報を順次保存する第１のコンテンツ保存領域を有し、
前記代替コンテンツ情報生成部は、前記第１のコンテンツ保存領域において前記秘匿コンテンツ情報が保存された領域から所定範囲に存在する非秘匿コンテンツ情報に基づいて、前記代替コンテンツ情報を生成する情報処理装置。
【請求項３】
請求項２に記載の情報処理装置であって、
前記代替コンテンツ情報生成部は、非秘匿コンテンツ情報を加工して前記代替コンテンツ情報を生成する情報処理装置。
【請求項４】
請求項１ないし３のいずれか１項に記載の情報処理装置であって、更に、
コンテンツ情報の特徴を抽出し、抽出された特徴に基づいて前記秘匿コンテンツ情報を決定する秘匿コンテンツ情報決定部を備える情報処理装置。
【請求項５】
請求項１ないし４のいずれか１項に記載の情報処理装置であって、更に、
代替コンテンツ情報を管理する代替コンテンツ情報管理部を備え、
前記代替コンテンツ情報管理部は、代替コンテンツ情報の生成元である元コンテンツ情報が生成された生成時刻情報に基づいて、前記代替コンテンツ情報が生成された生成時刻情報を、前記元コンテンツ情報の生成時刻から連続するように補正する情報処理装置。
【請求項６】
請求項１ないし５のいずれか１項に記載の情報処理装置であって、更に、
前記代替コンテンツ情報を管理する代替コンテンツ情報管理部を備え、
前記代替コンテンツ情報管理部は、前記モード設定部による前記秘匿モードの設定時、前記第１のコンテンツ保存領域に前記代替コンテンツが保存された場合、前記第１のコンテンツ保存領域の表示用の保存件数を不変とするよう制御する情報処理装置。
【請求項７】
請求項６に記載の情報処理装置であって、
前記代替コンテンツ情報管理部は、前記モード設定部による前記秘匿モードから前記非秘匿モードへの切替時、前記表示用の保存件数を、前記第１のコンテンツ保存領域に保存されているコンテンツ情報の保存件数に更新する情報処理装置。
【請求項８】
請求項２ないし７のいずれか１項に記載の情報処理装置であって、更に、
前記代替コンテンツに基づくコンテンツ情報の保存を制御するコンテンツ保存制御部を備え、
前記記憶部は、前記第１のコンテンツ保存領域とは異なる第２のコンテンツ保存領域を有し、
前記コンテンツ保存制御部は、前記モード設定部による秘匿モードの設定時に、前記第１のコンテンツ保存領域の残容量が所定容量未満である場合には、前記代替コンテンツ情報に基づくコンテンツ情報を前記第２のコンテンツ保存領域に保存させる情報処理装置。
【請求項９】
請求項８に記載の情報処理装置であって、更に、
前記モード設定部による前記秘匿モードから非秘匿モードへの切替時、前記第１のコンテンツ保存領域の残容量が所定容量未満である場合には、前記第１のコンテンツ保存領域に保存された少なくとも一部のコンテンツ情報の削除指示を提示する削除指示提示部を備える情報処理装置。
【請求項１０】
請求項８または９に記載の情報処理装置であって、
前記コンテンツ保存制御部は、前記モード設定部による前記秘匿モードから非秘匿モードへの切替時、前記第１のコンテンツ保存領域の残容量が所定容量以上である場合には、前記第２のコンテンツ保存領域に保存された代替コンテンツ情報を前記第１のコンテンツ保存領域に保存させる情報処理装置。
【請求項１１】
請求項１に記載の情報処理装置であって、
前記記憶部は、第１の文字列と第２の文字列とを対応付けて記憶する文字列変換テーブルを有し、
前記代替コンテンツ情報生成部は、前記文字列変換テーブルに基づいて、前記第１の文字列を含む前記秘匿コンテンツ情報から前記第２の文字列を含む前記代替コンテンツ情報を生成する情報処理装置。
【請求項１２】
請求項１ないし１１のいずれか１項に記載の情報処理装置であって、更に、
前記変換ルールを外部サーバから受信する受信部を備える情報処理装置。
【請求項１３】
動作モードを秘匿モード又は非秘匿モードに設定するステップと、
所定の変換ルールに基づいて、秘匿されるコンテンツ情報である秘匿コンテンツ情報を含むコンテンツ情報を記憶する記憶部に記憶された前記秘匿コンテンツ情報に代替する代替コンテンツ情報を生成するステップと、
前記生成された代替コンテンツ情報を表示部により表示するステップと、
前記代替コンテンツ情報を管理する代替コンテンツ情報管理ステップと、
を有し、
前記記憶部は、前記代替コンテンツ情報の生成元である元コンテンツ情報と、前記代替コンテンツ情報の制御履歴の情報と、を含む代替コンテンツ管理情報を保存するコンテンツ管理領域を有し、
前記代替コンテンツ情報管理ステップでは、前記コンテンツ管理領域に保存された制御履歴のある代替コンテンツ情報の生成元である元コンテンツ情報に基づいて、新たな代替コンテンツ情報を生成することを禁止する情報処理方法。
【請求項１４】
請求項１３に記載の情報処理方法の各ステップをコンピュータに実行させるための情報処理プログラム。
【手続補正２】
【補正対象書類名】明細書
【補正対象項目名】００１３
【補正方法】変更
【補正の内容】
【００１３】
本発明の情報処理装置は、動作モードを秘匿モード又は非秘匿モードに設定するモード設定部と、秘匿されるコンテンツ情報である秘匿コンテンツ情報を含むコンテンツ情報を記憶する記憶部と、所定の変換ルールに基づいて、前記記憶部に記憶された秘匿コンテンツ情報に代替する代替コンテンツ情報を生成する代替コンテンツ情報生成部と、前記代替コンテンツ情報生成部により生成された代替コンテンツ情報を表示する表示部と、前記代替コンテンツ情報を管理する代替コンテンツ情報管理部と、を備え、前記記憶部は、前記代替コンテンツ情報の生成元である元コンテンツ情報と、前記代替コンテンツ情報の制御履歴の情報と、を含む代替コンテンツ管理情報を保存するコンテンツ管理領域を有し、前記代替コンテンツ情報管理部は、前記代替コンテンツ生成部により、前記コンテンツ管理領域に保存された制御履歴のある代替コンテンツ情報の生成元である元コンテンツ情報に基づいて、新たな代替コンテンツ情報を生成することを禁止する。
【手続補正３】
【補正対象書類名】明細書
【補正対象項目名】００１５
【補正方法】変更
【補正の内容】
【００１５】
また、本発明の情報処理方法は、動作モードを秘匿モード又は非秘匿モードに設定するステップと、所定の変換ルールに基づいて、秘匿されるコンテンツ情報である秘匿コンテンツ情報を含むコンテンツ情報を記憶する記憶部に記憶された前記秘匿コンテンツ情報に代替する代替コンテンツ情報を生成するステップと、前記生成された代替コンテンツ情報を表示部により表示するステップと、前記代替コンテンツ情報を管理する代替コンテンツ情報管理ステップと、を有し、前記記憶部は、前記代替コンテンツ情報の生成元である元コンテンツ情報と、前記代替コンテンツ情報の制御履歴の情報と、を含む代替コンテンツ管理情報を保存するコンテンツ管理領域を有し、前記代替コンテンツ情報管理ステップでは、前記コンテンツ管理領域に保存された制御履歴のある代替コンテンツ情報の生成元である元コンテンツ情報に基づいて、新たな代替コンテンツ情報を生成することを禁止する。